(57)【要約】【課題】タッチパネル付き液晶表示部を持ち、かつ画像取込用カメラつき携帯情報端末において、前記液晶表示部を操作するためにスタイラスペンを使用する。その状況（スタイラスペン使用時）において画像取込を容易かつ正確に（手ぶれなく）行うことを目的とする。【解決手段】タッチパネル付き液晶表示部２を持ち、かつ画像取込用カメラ３付き携帯情報端末１において前記液晶表示部２を操作するためのスタイラスペン４にシャッタボタン５を設け、前記スタイラスペン４側から無線で携帯情報端末１側にその情報を送りカメラ３のシャッタ５を切ることを可能としたことを特徴とする携帯情報端末。【選択図】        図１
2004264734.tif 000002
【特許請求の範囲】
【請求項１】
液晶表示部を有し、かつ前記液晶表示部の前面にタッチパネルを有する携帯情報端末において、タッチパネルを操作するための着脱可能なスタイラスペンを有し、かつ前記携帯情報端末に画像取込用にカメラ部を有し、そのペンの一部に前記カメラのシャッタスイッチを設けたことを特徴とする携帯情報端末。
【請求項２】
前記スイッチはカメラ操作時以外、無効になる手段を有することを特徴とする請求項１記載の携帯情報端末。
【請求項３】
前記携帯情報端末にカメラ操作時を認知させる手段を有することを特徴とする請求項１記載の携帯情報端末。
【請求項４】
前記シャッタは、携帯情報端末と無線によって接続されていることを特徴とする請求項１記載の携帯情報端末。
【請求項５】
前記通信する手段はＲＦ信号であることを特徴とする請求項１記載の携帯情報端末。
【請求項６】
前記通信する手段は赤外線であることを特徴とする請求項１記載の携帯情報端末。
【請求項７】
カメラ部操作用シャッタは前記ペンの他、前記携帯情報端末に直接取り付けられていることを特徴とする請求項１記載の携帯情報端末。
【発明の詳細な説明】
【０００１】
【発明の属する技術分野】
本発明はタッチパネル付き液晶表示部を有し、かつ画像取込用カメラ部を有する携帯情報端末に係り、特に、液晶表示部を操作するためのスタイラスペンにおける、カメラシャッタに関するものである。
【０００２】
【従来の技術】
液晶表示部を有する携帯情報端末において、電子画像取込用としてカメラ部を具備する物がある。一方その携帯情報端末の液晶表示部には操作のためのタッチパネルがあり、指や、添付されたスタイラスペンで上記携帯情報端末を操作する事ができる。しかし、カメラのシャッタを切る場合、手ブレを防ぐため携帯情報端末本体を片手でホールドしながら、もう片方の手でシャッタを押すことになるが、シャッタを押す操作は主に本体をホールドしている反対側の手で携帯情報端末本体に行う。しかし携帯情報端末のタッチパネルの操作は主にスタイラスペンで行われ、スタイラスペンを持ちながらシャッタを押すことになる。この場合携帯情報端末のホールド状態は非常に不安定になり、結果として手ブレを招くことになる。
【０００３】
図４は従来の装置の構成を示す一例である。１５は携帯情報端末本体部、１６はタッチパネル付き液晶表示部、１７はカメラ部、１８はスタイラスペン、１９は情報端末本体１５に具備されているシャッタ。
【０００４】
今、撮影者がスタイラスペン１８を右手に持ち、液晶表示部１６をスタイラスペン１８で１５の携帯情報端末本体を操作しているときに、シャッタ１９を押す場合、手ブレを防ぐため、撮影者がスタイラスペン１８を携帯情報端末本体１５に格納後両手で支えてシャッタ１９を押す。もしくはスタイラスペン１８を右手に持ったまま左手でのみで携帯情報端末本体１５を支えシャッタ１９切る。
【０００５】
あるいはスタイラスペン１８を本体１５に格納して両方の手で携帯情報端末本体１５をホールドし前記携帯情報端末１５に具備されているカメラ部１７のシャッタ１９を切る（不図示）。
【０００６】
【発明が解決しようとする課題】
しかしながら上記従来例は携帯情報端末本体のホールド状態が不安定になったりする。その結果として手ブレ画像になってしまう。またユーザー（撮影者）が撮影時にスタイラスペンを格納する場合、その手間が煩雑になり、いわゆるシャッタチャンス（撮影機会）を逃してしまう。
【０００７】
そこで本発明は、スタイラスペンの一部に携帯情報端末本体と無線で通信することが出来るシャッタを設けたことにより、携帯情報端末本体の操作のうちスタイラスペン使用時に、カメラ操作を行う場合、スタイラスペンを格納することなく、シャッタ操作が可能となるだけでなく、即座に撮影動作に移行できる。また片手で携帯情報端末本体を操作していても本体を触らずにシャッタを押すことができるので手ブレを防ぐことが出来る。
【０００８】
また本発明は、携帯情報端末本体に使用者が撮影動作に入った事を認知させる手段を設けたことで、不用意にシャッタを押してしまうことを防ぐことが出来る。
【０００９】
【課題を解決するための手段】
本発明は上記事項を考慮してなされたものであり、画像取込用としてカメラを具備したタッチパネル付き携帯情報端末本体を操作するためのスタイラスペンに、前記携帯情報端末本体と無線で通信する事が出来るシャッタを設けたことを特徴とし、前記シャッタを押した事を携帯情報端末本体が認知し、カメラ部が撮影している画像をメモリ上に取り込むことが可能となることを特徴とする。
【００１０】
この場合ユーザーはカメラ部が撮影可能状態をユーザー認知させる手段を設ける。
【００１１】
以上、本発明を整理して要約すれば以下の構成に集約できる。
【００１２】
（１）液晶表示部を有し、かつ前記液晶表示部の前面にタッチパネルを有する携帯情報端末において、タッチパネルを操作するための着脱可能なスタイラスペンを有し、かつ前記携帯情報端末に画像取込用にカメラ部を有し、そのペンの一部に前記カメラのシャッタスイッチを設けたことを特徴とする携帯情報端末。
【００１３】
（２）前記スイッチはカメラ操作時以外、無効になる手段を有することを特徴とする前記（１）記載の携帯情報端末。
【００１４】
（３）前記携帯情報端末にカメラ操作時を認知させる手段を有することを特徴とする前記（１）記載の携帯情報端末。
【００１５】
（４）前記シャッタは、携帯情報端末と無線によって接続されていることを特徴とする前記（１）記載の携帯情報端末。
【００１６】
（５）前記通信する手段はＲＦ信号であることを特徴とする前記（１）記載の携帯情報端末。
【００１７】
（６）前記通信する手段は赤外線であることを特徴とする前記（１）記載の携帯情報端末。
【００１８】
（７）カメラ部操作用シャッタは前記ペンの他、前記携帯情報端末に直接取り付けられていることを特徴とする前記（１）記載の携帯情報端末。
【００１９】
【発明の実施の形態】
以下、本発明の実施形態について説明する。
【００２０】
図１は、本発明に係る携帯情報端末の一実施の形態を示す図である。１は携帯情報端末本体部、２はタッチパネル付き液晶表示部、３はカメラ部、４はスタイラスペン、５はスタイラスペンに具備されているシャッタ。また図示はされていないが、スタイラスペン４にはシャッタ５に連動した信号を携帯情報端末本体１に伝達する送信部６を有し、また携帯情報端末本体１は前記信号を受信する受信部７を有する。また５ａはスタイラスペン４が本体１に格納時に画像取込のためのシャッタである。
【００２１】
今、スタイラスペン４のシャッタ５をユーザーが押すことで、スタイラスペン４内の送信部６（不図示）からシャッタが押されたことの信号が携帯情報端末本体１の受信部７（不図示）に送られる。この時カメラ部３が一時的に使用されるメモリ８（不図示）上に取り込んでいる画像を、意図的に消さない限り消えないメモリ９（不図示）上に移動させ、撮影が完結する。またスタイラスペン４を使用しない場合、カメラ部３から画像取込のときはシャッタ５ａを用いる。
【００２２】
図２はスタイラスペンの詳細図である。１０はシャッタ５の機械的移動を電気的信号変換するスイッチ、１１はその信号波形を整形する整形回路、１２は整形回路から出力された信号をある周波数の無線（ＲＦ）信号に変換する変換器、１３はそれら回路に電源を供給する電源。
【００２３】
今シャッタ５によって起こされた機械的接触をスイッチ１０で電気的な波形に変換する。この信号は機械的な接触によって波形の乱れ（チャタリング）が生じているので、整流回路１１で波形の乱れを取り除き、矩形波に整形する。この矩形波を１２の信号変換器によって、この波形はＲＦ信号に変換され、送信部６より送信される。一方携帯情報端末１内にある受信部７は前記ＲＦ信号を受信し、それをトリガにカメラ部３が一時的に使用されるメモリ８（不図示）上に取り込んでいる画像を、意図的に消さない限り消えないメモリ９（不図示）上に移動させる。
【００２４】
上記信号変換器１２は電気信号＝＞ＲＦ信号とし、携帯情報端末本体１の受信部でＲＦ信号を回路制御信号に変換するが、信号変換器１２を電気信号＝＞Ｉｒ（赤外）信号に変換した場合でも同様の効果がある。その場合受光部７も同様に赤外信号を電気制御信号に変換する必要がある（不図示）。またこの場合送信部６、受信部７にはそれぞれ受発光の窓を設ける（不図示）。
【００２５】
しかしながら上記実施例ではユーザーが意図しないとき（撮影を希望しない場合）も前記シャッタを押してしまう可能性がある。それを防ぐ意味で、撮影時、非撮影時をユーザーが選択可能にし携帯情報端末１の液晶部２に表示する事で、誤って非撮影時に画像がメモリ８に取りこまれないようにする。また撮影時においてもユーザーが誤ってシャッタ５に触れた場合でもメモリ８上からメモリ９に移動する前にユーザーに確認を求めることで、不要な画像をメモリ９上に蓄積するのを防げることができる。以下にこのことを説明する。
【００２６】
図３はカメラ撮影時の液晶画面の状態を示す。１３は液晶画面、１４ａ、１４ｂ、１４ｃは液晶画面上に教示されるボタン群であり、タッチパネルと連動して、その部位を加圧することで、携帯情報端末本体１がそのボタンにあらかじめ関係づけられた動作を行う。今１４ｃがカメラ撮影モードに割り当ててあり、ユーザーがカメラ撮影状態にするとき、ボタン群の中のカメラ撮影可能状態にするボタン１４ｃを押してカメラより取り込まれる画像を一時的に使用されるメモリ８に蓄えると同時にそのボタン上にそのメモリ８にかかれた画像を縮小し１４ｃのボタンの中に随時表示するようにする。そうすることでユーザーはカメラ撮影可能であることを認知できるとともに被写体の画像を確認できる。その後、シャッタ５を押して画像を一時的に使用されるメモリ８から意図的に消さない限り消えないメモリ９へ移動すると同時に、液晶画面全面に上記撮影画像を表示する。このことでユーザーは撮影完了が認知されるとともに撮影された画像を確認できる。
【００２７】
なおスタイラスペン４収納時はシャッタ５ａを押すことでによって画像を取り込む。
【００２８】
【発明の効果】
以上説明したように、本発明によるとタッチパネル付き液晶表示部を有するカメラ付き携帯情報端末において、タッチパネル操作用のスタイラスペンに前記カメラのシャッタスイッチを設けたことによって、携帯情報端末本体の操作のうちスタイラスペン使用時に、カメラ操作を行う場合、スタイラスペンを格納することなく、シャッタ操作が可能となるだけでなく、即座に撮影動作に移行できる。また片手で携帯情報端末本体を操作していても本体を触らずにシャッタを押すことができるので手ブレを防ぐことが出来る。さらにはユーザーに対しカメラが撮影状態にあるかを認識できる手段を設けたことで、あやまってユーザーがカメラのシャッタを押さなくすることができる。
【図面の簡単な説明】
【図１】本発明に係る携帯情報端末の実施例を示す図
【図２】本発明に係る実施例の一部（スタイラスペン）を示す図
【図３】本発明に係る実施例の液晶表示部を示す図
【図４】従来の携帯情報端末を示す図
【符号の説明】
１  携帯情報端末本体
２  タッチパネル付き液晶表示部
３  カメラ部
４  スタイラスペン
５  シャッタ
【図１】
2004264734.tif 000003
【図２】
2004264734.tif 000004
【図３】
2004264734.tif 000005
【図４】
2004264734.tif 000006